(57)【要約】【課題】基礎コンクリ―ト表面にビニ―ルシ―トを敷きこれを型枠代わりにし且つ免震材料取付用枠を鉄筋コンクリ―ト造床盤と一体化することで、床下の狭い空間での困難な作業を無くし、免震材料も床下に潜ることなく保守点検ができるようにして、構築に要する経済効果を大きくし、保守点検の容易な免震構造の鉄筋コンクリ―ト造床盤の構築方法を提供する。【解決手段】下部構造の基礎コンクリ―ト４１表面にビニ―ルシ―ト２３を敷き、免震材料３設置位置にベ―ス鋼板３２を配置し、このベ―ス鋼板上に鉄骨造の免震材料取付用枠１を敷設して、この免震材料取付用枠と鉄筋コンクリ―ト造床盤２を一体化し、コンクリ―ト打設硬化後、免震材料取付用枠と免震材料のベ―ス鋼板を梃とし、鉄筋コンクリ―ト造床盤をジャッキアップ５１して構築する免震構造の鉄筋コンクリ―ト造床盤の構築方法。【選択図】        図７
2006118242.tif 000002
【特許請求の範囲】
【請求項１】
免震層と上部構造との間に設置する鉄筋コンクリ―ト造床盤を構築する工法で、下部構造の基礎コンクリ―ト表面にビニ―ルシ―トを敷き、免震材料設置位置にベ―ス鋼板を配置し、このベ―ス鋼板上に鉄骨造の免震材料取付用枠を敷設して、この免震材料取付用枠と鉄筋コンクリ―ト造床盤を一体化し、コンクリ―ト打設硬化後、免震材料取付用枠と免震材料のベ―ス鋼板を梃とし、鉄筋コンクリ―ト造床盤をジャッキアップして構築することを特徴とする免震構造の鉄筋コンクリ―ト造床盤の構築方法。
【請求項２】
前記下部構造の基礎コンクリ―ト表面で免震材料の屋外に面した近辺の一部を保守点検用のピットとして切り下げたことを特徴とする請求項１記載の免震構造の鉄筋コンクリ―ト造床盤の構築方法。
【発明の詳細な説明】
【技術分野】
【０００１】
本発明は、木造等小規模な免震構造の鉄筋コンクリ―ト造床盤の構築方法に関するものである。
【背景技術】
【０００２】
従来，基礎コンクリ―ト表面側に免震材料である例えば免震ゴムを立設し、この免震材料の上面側に鉄筋コンクリ―ト造床盤を配置し、該鉄筋コンクリ―ト造床盤により木造建築物を支持するようになされたものがある（例えば、特許文献１参照。）。
【０００３】
【特許文献１】特開平１０ー１７６４３５号公報
【発明の開示】
【発明が解決しようとする課題】
【０００４】
ところで、上記従来の技術においては、基礎コンクリ―ト表面側の免震材料の上面側に鉄筋コンクリ―ト造床盤を構築するのに、通常は、基礎コンクリ―ト表面側に木材により足場を組み、その上に型枠を敷き、この型枠の上に鉄筋を組みコンクリ―トを打ち込んで鉄筋コンクリ―ト造床盤を構築していたので、前記コンクリ―トの硬化後に、鉄筋コンクリ―ト造床盤下の型枠及び足場を撤去するのに、床盤下の狭い空間での作業は鉄筋コンクリ―ト造床盤の重荷も加わり非常に困難を極めるためコストアップの要因となっている。また、床下は保守点検にも人間が潜って作業するため必然的に床高が高くなって、上部構造の住宅の居住性にも悪影響を及ぼす、という問題がある。
【０００５】
本発明は、従来の技術の有するこのような問題点に鑑みてなされたものであり、その目的とするところは、基礎コンクリ―ト表面にビニ―ルシ―トを敷きこれを型枠代わりにし且つ免震材料取付用枠を鉄筋コンクリ―ト造床盤と一体化することで、床下の狭い空間での困難な作業を無くし、免震材料も床下に潜ることなく保守点検ができるようにして、構築に要する経済効果を大きくし、保守点検の容易な免震構造の鉄筋コンクリ―ト造床盤の構築方法を提供しようとするものである。
【課題を解決するための手段】
【０００６】
上記目的を達成するために、本発明における免震構造の鉄筋コンクリ―ト造床盤の構築方法は、下部構造の基礎コンクリ―ト表面にビニ―ルシ―トを敷き、免震材料設置位置にベ―ス鋼板を配置し、このベ―ス鋼板上に鉄骨造の免震材料取付用枠を敷設して、この免震材料取付用枠と鉄筋コンクリ―ト造床盤を一体化し、コンクリ―ト打設硬化後、免震材料取付用枠と免震材料のベ―ス鋼板を梃とし、鉄筋コンクリ―ト造床盤をジャッキアップして構築することを特徴とする、ものである。
【０００７】
また、前記下部構造の基礎コンクリ―ト表面で免震材料の屋外に面した近辺の一部を保守点検用のピットとして切り下げたことを特徴とする、ものである。
【発明の効果】
【０００８】
本発明に係る免震構造の鉄筋コンクリ―ト造床盤の構築方法では、基礎コンクリ―ト表面にビニ―ルシ―トを敷きこれを型枠代わりにし且つ免震材料取付用枠を鉄筋コンクリ―ト造床盤と一体化することで、床下の狭い空間での困難な作業を無くし、免震材料も床下に潜ることなく保守点検ができるようにして、構築に要する経済効果を大きくし、保守点検の容易な免震構造の鉄筋コンクリ―ト造床の構築方法となる。
【０００９】
また、前記下部構造の基礎コンクリ―ト表面で免震材料の屋外に面した近辺の一部を保守点検用のピットとして切り下げた場合には、免震材料の保守点検がさらに容易となる。
【発明を実施するための最良の形態】
【００１０】
図１ないし図３は本発明を実施するのに適した免震材料取付用枠に関連する詳細図である。これらの図において、１は鉄骨造の免震材料取付用枠であり、その外周枠１１には定着鉄筋１３と寓角補強鋼板１４が溶着されており、中央には２本の免震材料受形鋼１２がそれぞれ接合ボルト１５によって外周枠１１に対して取り外し可能な状態に取付けられている。なお、１６は後述する押上梁の接合ボルトのボルト孔である。
【００１１】
図４は４個の免震材料を配備した場合の鉄筋コンクリ―ト造床盤の平面図であり、鉄筋コンクリ―ト造床盤２には鉄筋２２が格子状に配置され各鉄筋２２間にはコンクリ―ト２１が打ち込まれており、該鉄筋コンクリ―ト造床盤２の４隅には免震材料取付用枠１が配置されている。なお、免震材料取付用枠１の配置数は４個に限らず鉄筋コンクリ―ト造床盤２の大きさにより必要に応じてその数を増加させるものである。
【００１２】
図５ないし図８は本発明の免震構造の鉄筋コンクリ―ト造床盤の構築方法を実施する施工順位図である。
【００１３】
図５において、４は基礎構造であり、該基礎構造４は割栗地業４２の上部に捨てコンクリ―ト４３を配し、その上部に基礎コンクリ―ト４１を打ち込んで構成されている。そして前記基礎コンクリ―ト４１には免震材料取付用枠１を一時的に保持するような段部が形成され、この段部の範囲内上面にはベ―ス鋼板３２が定着ボルト３３によって固定されている。また基礎コンクリ―ト４１の表面には鉄筋コンクリ―ト造床盤２の型枠代わりとなるビニ―ルシ―ト２３が敷設されている。
【００１４】
免震材料取付枠用１に取付けられている免震材料受形鋼１２が取り外されて、その代わりにＬ形鋼１７が免震材料取付用枠１のベ―ス鋼板３２への仮止め用として免震材料取付用枠１に取付けられ、このＬ形鋼１７と仮止めボルト１８とによって、基礎構造４上に免震材料取付用枠１がベ―ス鋼板３２を介して据え付けられる。なお、２４は保守点検用ピット４５上の型枠，４４は側面型枠，６は基準地盤面である。
【００１５】
次に図６に示すように、免震材料取付用枠１等に鉄筋２２が組み立てられコンクリ―ト２１が打設されて、鉄筋コンクリ―ト造床盤２と免震材料取付用枠１は一体化された状態となる。
【００１６】
次に図７に示すように、押上機構５により鉄筋コンクリ―ト造床盤２は所定の位置まで押上げられる。そのため先ず，免震材料取付用枠１のベ―ス鋼板３２への仮止め用のボルト１８を抜き、さらに免震材料取付用枠１からＬ形鋼１７を外し、免震材料取付用枠１の上部開口部から押上機構５の油圧ジャッキ５１を搬入し、この油圧ジャッキ５１をベ―ス鋼板３２に固着する。そして、油圧ジャッキ５１に取付けられた押上梁５２を免震材料取付枠１に形成したボルト孔１６を介して免震材料取付用枠１に取付け、この押上梁５２をジャッキアップすることにより、鉄筋コンクリ―ト造床盤２が所定の位置に達する。
【００１７】
鉄筋コンクリ―ト造床盤２が所定の位置に達した時点で免震材料取付用枠１の枠下に枕木５３を当てがい、鉄筋コンクリ―ト造床盤２を空中に浮かせたいわゆる浮床にする。
【００１８】
図７の状態から、押上機構５の押上梁５２と免震材料取付用枠１の係合を解き、免震材料取付用枠１の外に押上機構５を取り出し、次いで免震材料取付用枠１の上部開口部から免震材料３を搬入し、この免震材料３をベ―ス鋼板３２に免震材料取付ボルト３４により固着する。次に、免震材料取付用枠１に免震材料受形鋼１２を取付け、前記免震材料３の上面側を免震材料受形鋼１２に免震材料取付ボルト３４により固着する。次いで枕木を外して図８に示すような免震材料据付け完了となる。なお、図８で３１は免震装置である。
【００１９】
以上のように、基礎コンクリ―ト４１の表面にビニ―ルシ―ト２３を敷き、このビニ―ルシ―ト２３を鉄筋コンクリ―ト造床盤２の型枠代わりとすることで、鉄筋コンクリ―ト造床盤２の形成が容易で、ビニ―ルシ―ト２３はコンクリ―トの打設硬化後に鉄筋コンクリ―ト造床盤２から剥離し易く、型枠なしの鉄筋コンクリ―ト造床盤２を押上げるのも簡単にできる。
【００２０】
また、免震材料取付用枠１を使用することで、鉄筋コンクリ―ト造床盤２の構築が容易であると共に免震材料３の設置及び保守点検が容易にできる。
【００２１】
さらに、鉄筋コンクリ―ト造床盤２をジャッキアップすることで、鉄筋コンクリ―ト造床盤２を所定の位置に簡単に位置付けすることができ、その際，足場等を使用することもないので、その構築作業が容易にできる
【００２２】
そして、下部構造の基礎コンクリ―ト４１表面で免震材料３の屋外に面した近辺の一部を保守点検用のピット４５として切り下げて構成されている場合には、このピット４５を利用することににより免震材料３の保守点検がさらに容易にできる。
【図面の簡単な説明】
【００２３】
【図１】図１は本発明に係る免震構造の鉄筋コンクリ―ト造床盤の構築方法に適用される免震材料取付用枠の平面図である。
【図２】図２は図１のＡ―Ａ断面図である。
【図３】図３は図１のＢ―Ｂ断面図である。
【図４】図４は本発明に係る免震構造の鉄筋コンクリ―ト造床盤の構築方法に適用される鉄筋コンクリ―ト造床盤の平面図である。
【図５】図５は本発明に係る構築方法の施工順位の免震材料取付用枠の設置時の断面図である。
【図６】図６は図５における鉄筋コンクリ―ト打設時の断面図である。
【図７】図７は図５における鉄筋コンクリ―ト造床盤押上げ完了時の断面図である。
【図８】図８は図５における免震材料据付け完了時の断面図である。
【符号の説明】
【００２４】
１              免震材料取付用枠
２              鉄筋コンクリ―ト造床盤
３              免震材料
５              押上機構
２１            コンクリ―ト
２３            ビニ―ルシ―ト
３２            ベ―ス鋼板
４１            基礎コンクリ―ト
４５            保守点検用ピット
５１            ジャッキ
【図１】
2006118242.tif 000003
【図２】
2006118242.tif 000004
【図３】
2006118242.tif 000005
【図４】
2006118242.tif 000006
【図５】
2006118242.tif 000007
【図６】
2006118242.tif 000008
【図７】
2006118242.tif 000009
【図８】
2006118242.tif 000010